Podtech/llm-jp-corpus-v4-ja_patent huggingface dataset:
(57)【要約】      （修正有）【課題】アクセスフロアになっていない事務所や住まいの床配線用として、あらかじめモール自体に関連する機器のケーブルを内蔵させその両端にタップを取り付け、モール間をジョイントプラグで接続し機器の設置場所まで敷設していくと、関連する機器用の集合コンセントとして使える、つまり、ケーブルの錯綜を防ぎ同時に保護も兼ねられるケーブル入りモールの提供。【解決手段】モール自体に電源用ケーブル、電話用ケーブル、そしてコンピュータ用ケーブルをまとめて内蔵させる。もちろん単独ケーブル入りモールも用意する。モールの長さは５００ｍｍ、１０００ｍｍを基準とするが、必要に応じて任意の長さを用意し、床に粘着テープまたはビス等で接着させる。本考案のモールを機器の直下まで自在に敷設できるようジョイントプラグを直列型、９０度型、１２０度型とし、ジョイントプラグも同型のモールで覆われたものを用意する。【選択図】図１
0003110586.tif 000002
【実用新案登録請求の範囲】
【請求項１】
アクセスフロアになっていない事務所や住まいの床配線用として、あらかじめモール自体に関連する機器のケーブルを内蔵させその両端にタップを取り付け、モール間をジョイントプラグで接続し機器の設置場所まで敷設していくと、関連する機器用の集合コンセントとして使えるという、ケーブルの錯綜を防ぎ同時に保護も兼ねられるケーブル入りモール。
【考案の詳細な説明】
【技術分野】
【０００１】  本考案は、アクセスフロアになっていない事務所や住まいの床配線の、ケーブルの錯綜を防ぎ同時に保護も兼ねるケーブル入りモールとそのジョイント用プラグに関するものである。
【背景技術】
【０００２】  床配線をカバーするモールはケーブルを保護する目的で作られたものだが、モール自体にあらかじめ関連する機器のケーブルを内蔵させ両端に接続用のタップを付けたケーブル入りモールはなかった。
【考案の開示】
【考案が解決しようとする課題】
【０００３】  アクセスフロアになっていない事務所や住まいの床配線用として、あらかじめモール自体に関連する機器のケーブルを内蔵させその両端にタップを付け、モール間をジョイントプラグで接続し機器の設置場所まで敷設していくと、関連する機器用の集合コンセントとして使える、つまり、ケーブルの錯綜を防ぎ保護も兼ねられるケーブル入りモールの考案。
【課題を解決するための手段】
【０００４】  モールにあらかじめ関連するケーブルを内蔵させ両端にタップを付ける。そのモールとモールをつなぐジョイントプラグを用意する。
【考案の効果】
【０００５】  本考案のケーブル入りモールは、床配線のケーブルの錯綜を防ぎ同時にモールを保護し、ジョイントプラグにより関連する機器の直下まで敷設することができ、関連する機器用の集合コンセントとして使えることから、室内の適当なスペースに機器を配置できる効果があり、アクセスフロアになっていない事務所や住まいの床配線に最適である。
【考案を実施するための最良の形態】
【０００６】  本考案のモール自体に電源用ケーブル、電話用ケーブル、そしてコンピュータ用ケーブルをまとめて内蔵させる。もちろん単独ケーブル入りモールも用意する。モールの長さは５００ｍｍ、１０００ｍｍを基準とするが、必要に応じて任意の長さを用意し、床に粘着テープまたはビス等で接着させる。本考案のモールを機器の直下まで自在に敷設できるようジョイントプラグを直列型、９０度型、１２０度型とし、ジョイントプラグも同型のモールで覆われたものを用意する。
【実施例】
【０００７】  本考案のケーブル入りモールを各種ジョイントプラグを使って機器の直下まで敷設し、粘着テープまたはビス等により床に接着させる。モールの最終タップに関連する機器のプラグを接続すれば機器の使用ができる。同様な方法で壁の配線にも活用できる。
【図面の簡単な説明】
【０００８】
【図１】  本考案のケーブル入りモールとその断面を示す図である。
【図２】  本考案の各種ジョイントプラグの概略図である。
【符号の説明】
【０００９】  １  本考案のケーブル入りモール本体
２  電源用タップ
３  電話用タップ
４  コンピュータ用タップ
５  モール付き直列型ジョイントプラグ
６  モール付き９０度型ジョイントプラグ
７  モール付き１２０度型ジョイントプラグ
【図１】
0003110586.tif 000003
【図２】
0003110586.tif 000004
(57)【要約】      （修正有）【課題】肛門やその周辺に痛みを持つ人がいすに座る時、痛みのある部分にいすの座面が触れないよう、中央に穴が空いた座面にすることによって痛みを軽減する。【解決手段】中央に大きく穴が空いた便座形の座面に脚をつけていすとし、臀部と座面が接せず、肛門やその周辺に痛みを持つ人が座っても痛みが最小限となる。脚部は三本脚になっており、多少の床面の傾斜やデコボコがあっても安定感が得られる。【選択図】図１
0003110353.tif 000002
【実用新案登録請求の範囲】
【請求項１】
便座の形に似た、穴の開いた座面を持つことが特徴のいすである。
【考案の詳細な説明】
【技術分野】
【０００１】    本考案は用便には使用しない、座面に便座形の穴を持ついすに関するものである。
【背景技術】
【０００２】    痔を患う人や産後の女性はいすに座る時、痛みを軽くする為にこれまでドーナツ形の座布団などを敷いていたが、これは痛みの軽減には不十分であった。又、これまでにいす形の便器は世に多数存在するが、用便以外の時に家庭や公共の場で気軽に座れる便座形のいすはない。
【考案の開示】
【考案が解決しようとする課題】
【０００３】  ドーナツ形のクッションは、座面がクッションなどの厚み分だけ高くなり、床に足が着かなくなるという問題が生じる。又、クッション等では体重をかければ沈み込む為に、痛い部分が多少なりとも椅子に触れてしまうことがあり、痛みを避けることができないケースがあった。便座形スツールならば患部に座面が触れることがないので痛みを最小限に抑えられる。
【考案を解決する為の手段】
【０００４】  中央に穴を開けた便座形の座面により、患部に座面が触れず、肛門やその周辺に痛みを持つ人の痛みの原因がなくなる。この方法で痛みの問題を解決する。
【考案の効果】
【０００５】  本考案のスツールでは臀部と座面が接することがない故に痛みの軽減に役立つ。
【考案を実施するための最良の形態】
【０００６】  中央に大きく穴が空いた便座形の座面に脚をつけていすを作る。臀部と座面が接せず、肛門やその周辺に痛みを持つ人が座っても痛みが最小限となる。脚部は三本脚になっており、多少の床面の傾斜やデコボコがあっても安定感が得られる。
【実施例】
【０００７】  以下、添付図面に従って一実施例を説明する。１は便座の形に加工した木製等適宜素材の座面。２は鉄製異形丸棒等適宜素材を加工し、部品を一体化した三本脚の脚部。３は脚部を座面に固定する為の木製等適宜素材の受け具。４の固定金具で１の座面に３の脚部を固定する。【０００８】  本考案の一実施例は上述の如き構成からなるものであり、この具体的な利用例は肛門科や産婦人科など医療機関の待合室のいすである。又、自宅に於いても、どこにでも運んで座ることができる。さらには、そのインパクトある形から、こだわりのデザインを求めるケースにも対応できる。すなわち、普通ならトイレ内というプライベート空間でしか目にすることのない便座が、玄関先や店舗の一角にインテリアとして置かれていたら、その場違いな感覚がユーモラスである。あるいはこれがもし街頭に置かれていたらショッキングであり、そこが公共空間である事とその開放性を、正反対の性質を持つ便座形スツールを置くことによって逆に印象付けられる、などの波及効果もある。
【図面の簡単な説明】
【０００９】
【図１】  本考案の便座形スツールの側面斜視図である。
【図２】  本便座形スツールの底面図である。
【符号の説明】
【００１０】１  便座形スツール座面
２  便座形スツール脚部
３  固定用受け具
４  固定金具
【図１】
0003110353.tif 000003
【図２】
0003110353.tif 000004
(57)【要約】【課題】  家畜、畜犬、猫、その他の愛玩動物の爪切断作業を、安全、確実かつ誰でも簡単に行えるようにする。特に、従来は非常に困難であった、爪の黒い種類の畜犬等でも充分な効果を得れるようにした。被術動物の肉体的な苦痛を取り除く。施術者、飼育者の精神的な負担を取り除く。【解決手段】上記問題を解決するため、爪切りに小型の光源装置を取り付けた。爪の裏側から光りを透過させる事により、内部組織の確実な位置確認が行える。また、爪が黒い種類の畜犬等には絶大な効果を発揮する。光源のスイッチは光源装置本体と爪切りの握り手部分にも取り付ける事で、常時点灯と軽く握った時の二通りの点灯方法を選択できる様にし、利便性を高めている。【選択図】  図１
0003110352.tif 000002
【実用新案登録請求の範囲】
【請求項１】
家畜や畜犬、猫、その他の愛玩動物に用いる爪切りに、電球、ＬＥＤ、放電管、その他の光を発生する光源装置を取り付け、または組み込み、爪中の組織の位置を確認しながら安全、確実に爪の切断作業が出来る様にした爪切り。
【考案の詳細な説明】
【考案の開示】
【考案が解決しようとする課題】
【０００１】従来より家畜、畜犬、ペット用の爪切りは存在していたが、その使用にあたっては、単純な切断作業の為の機能しか無く、内部組織の正確な位置確認は困難であった。その為、深く切り過ぎ、出血や負傷させたり、また、それらを恐れるあまり適切な切断作業を行なう事が出来ず、機能性は決して充分ではなかった。
さらに、一度負傷した家畜、畜犬、ペットは爪切りを嫌うこともあり、飼育者や施術者の作業の大きな負担となっていた。
【課題を解決するための手段】
【０００２】上記問題を解決するため、爪切りに小型の光源装置を取り付けた。爪の裏側から光りを透過させる事により、内部組織の確実な位置確認が行える。また、爪が黒い種類の畜犬等には絶大な効果を発揮する。
光源のスイッチは光源装置本体と爪切りの本体にも取り付ける事で、常時点灯と  軽く握った時の二通りの点灯方法を選択できる様にし、利便性を高めている。
【考案の効果】
【０００３】この器具を使用すれば誰でも安全、確実かつ簡単に爪の切断作業が行える。
また、対象となる動物にも一切の肉体的苦痛を与える事が無い為、施術者および、飼育者の精神的な負担も全く無い。
【図面の簡単な説明】
【０００４】
【図１】  装置を取り付けた爪切りを裏側から見た図である。
【図２】  装置を取り付けた爪切りの側面図である。
【図３】  考案の使用方法を示した図である。
【符号の説明】
【０００５】１  爪切り本体（ニッパー式、スライド式）
２  光源装置
３  畜犬等の爪
４  術者の手
【図１】
0003110352.tif 000003
【図２】
0003110352.tif 000004
【図３】
0003110352.tif 000005
(57)【要約】      （修正有）【課題】壺などの口部が粗面であっても十分な密着性を保ち、繰り返しの開閉操作においても損傷することなく、十分な耐久性を有し、しかも口部が非真円であっても、高い密封性を発揮することができる壺用栓を実現する。【解決手段】壺などの容器の口部に嵌合して塞ぐための栓において、栓本体（１）は握り部と一体となった硬質材による栓芯体（２）と、弾性ゴム材による外周層（３）の二重構造となっており、該外周層の内周面側に凹凸（４）を複数、リング帯として形成されている壺用栓である。【選択図】図１
0003110359.tif 000002
【実用新案登録請求の範囲】
【請求項１】
壺などの容器の口部に嵌合して塞ぐための栓において、栓本体（１）は握り部と一体となった硬質材による栓芯体（２）と、弾性ゴム材にる外周層（３）の二重構造になっており、該外周層（３）の内周面側に凹凸（４）がリング状に形成されていることを特徴とする壺用栓。
【考案の詳細な説明】
【考案の詳細な説明】
【技術分野】
【０００１】本考案は、壼などの口部に嵌合して塞ぐための栓に関し、特に陶器製やガラス製のような口部ように、真円でない口部を塞ぐのに適した栓に関する。
【背景技術】
【０００２】従来より、酒類などを陶器製の壺などに注入して長期保存することが行なわれている。
特に泡盛などでは、陶器製の壺等に入れて保存することにより、熟成が促進され、まろやかな古酒の味わいがさらに増幅されるため、酒類熟成用しての陶器製の壺やガラス製の壺などの需要は近年高まっている。【０００３】このように、酒類の容器として、陶器製やガラス製の壺等が多く使用されるようになるとともに、これらの密封用の栓も種々開発されるようになってきた。近年ではシリコンゴム製の栓なども広く用いられるようになってきた。【０００４】図２は、従来の壺用栓（登録実用新案第３０２３８５５号）の実施例を示す垂直断面である。このように栓本体２ａに弾性を有するシリコンゴムを用いた栓も開発されている。
この場合は、栓芯体２ｂと外周層３ａの二重構造のため壺の口部の内面３ｃの粗面への密着性がよく、耐久性も確保されている。しかしながら、揮発性の高い酒類などは、容器内部でアルコール分が蒸発、充満し内圧が高まり、特に口部が真円でない場合は、該外周層３ａの縦溝による空間部３ｂの部分では、内圧が高まると口部との間に隙間ができやすく十分な密封性を保つことは困難である。
【考案が解決しようとする課題】
【０００５】本考案は、このような従来の壺用栓の問題点に鑑みてなされたものであり、壺などの口部が粗面であっても十分な密封性を保ち、繰り返しの開閉操作においても損傷することなく十分な耐久性を有し、しかも口部が非真円であっても、高い密封性を発揮することができる壺用栓を実現するためになされたものである。
【課題を解決するための手段】
【０００６】請求項１は、図１に例示するように、壺などの容器の口部に嵌合して塞ぐための栓において、栓本体（１）は、握り部と一体となった硬質材による栓芯体（２）と、弾性ゴム材による外周層（３）の二重構造となっており、該外周層の内周面側に凹凸（４）のリング帯（５）が形成されている壺用栓である。
【考案の効果】
【０００７】請求項１のように、栓本体（１）は、握り部と一体となった硬質材の栓芯体（２）と弾性ゴム材による外周層（３）の二重構造となっており、該外周層の内周面側に凹凸（４）のリング帯（５）が設けられていることにより、壺などの口部の内周面が平滑でなく、粗面となっていても十分な密着性を保ち、かつ、口部が真円でない場合においても高い密着性を確保し、口部の表面の状態や形状に左右されない信頼性の高い壺用栓を提供することができる。
このように、本考案によると、壺などの口部を確実に密封し長期使用に耐える壺用栓を実現することができる。
【考案を実施するための最良の形態】
【０００８】請求項１のように、栓本体（１）は、硬質材による栓芯体（２）と、弾性ゴム材による外周層（３）の二重構造となっており、該外周層（３）の内周面側に凹凸（４）をリング状に形成されている為、栓芯体（２）が内側より該外周層（３）の内周面側に設けたリング状の凹凸（４）の部分に押し広げようとする圧力が加わり、栓本体（１）の外径が拡張することにより壺などの口部の内周面の形状に対応して密着させる事ができる。
また、凹凸（４）のリングを複数にし、図１のリング帯（５）のようにすることにより口部の内周面に点ではなく、面として広範囲に密着させる事ができる。よって、口部の形状が真円でない場合でも、また、容器内部でアルコール分が蒸発、充満し内圧が高くなっても、十分な密封性を発揮することができる。
【実施例】
【０００９】本考案による壺用栓が実際上どのように具体化されるかを実施例で説明する。
図１は、本考案による壺用栓の実施例であり、（Ａ）は垂直断面図であり、（Ｂ）は、ａ−ａ部、（Ｃ）は、ｂ−ｂ部における水平断面図である。【００１０】この壺用栓は、栓本体（１）、図１が示すように、握り部と一体となった硬質材の栓芯体（２）の外周部を覆うようにシリコンゴム製の外周層（３）が設けられた二重構造となっており。該外周層の内周面側に凹凸（４）のリング帯（５）が形成されている。【００１１】この壺用栓は、壺などの口部に栓本体（１）を挿入することにより密閉する。該外本体の外周面はシリコンゴム製であるため、壺などの口部、内周面が平滑でなく粗面となっていても密着する。また、外周層（３）の内周面側に凹凸状のリング帯（５）により、口部の内周面が真円でない場合でも、十分な密着性を発揮し、高い密封性を確保することができる。
【図面の簡単な説明】
【００１２】
【図１】本考案による壺用栓の実施例を示す図である。
【図２】従来の壺用栓の実施例を示す図である。
【符号の説明】
（１）、２ａ  栓本体
（２）、２ｂ  栓芯体
（３）、３ａ  外周層
（４）  凹凸部
（５）  リング帯
３ｂ  縦溝空間部
３ｃ  口部内面
【図１】
0003110359.tif 000003
0003110359.tif 000004
【図２】
0003110359.tif 000005
(57)【要約】      （修正有）【課題】ダイエットを望む人にとって多くの人が自分の理想のスタイルを頭の中でイメージしてダイエットに挑戦出来る様にした三面鏡を提供する。【解決手段】三枚の鏡にそれぞれ現状の姿を映す平面鏡１と現在の姿に比べ細身の姿を映すことができる、細身の姿に見える鏡２と太身の姿を映すことができる、太身の姿に見える鏡３を蝶番４で平面鏡１を中心に連結させ三面鏡にして、日常的に鏡に自分の姿を映して、平常時の姿５と細身に見える姿６と太身に見える姿７を見ることでダイエットを望む人の理想のスタイルの頭の中のイメージとを比較出来るようにした三面鏡。【選択図】図２
0003110357.tif 000002
【実用新案登録請求の範囲】
【請求項１】
平面鏡と映し出される姿が横に引き伸びた姿になる鏡と縦に引き伸びた姿になる鏡、それぞれ映り方の異なる鏡を取り付けたことを特徴とする三面鏡。
【考案の詳細な説明】
【技術分野】
【０００１】  本考案は、ダイエットを応援するための三面鏡に関する。
【背景技術】
【０００２】  身だしなみや化粧等のために全身を映すための大きな三面鏡や持ち運ぶために小さく軽量化された三面鏡などがある。【０００３】  しかし、通常の自分の姿を映すことができる平面鏡と縦に伸びたように映る鏡と横に伸びたように映すことのできる鏡を備えた三面鏡がなかった。
【考案の開示】
【考案が解決しようとする課題】
【０００４】  ダイエットを望んでいる人にとっては、食欲や誘惑による自分自身との戦いであり、その成果は、体重計や鏡に自分の姿を映して確認することができる。しかし、食欲や誘惑を抑制しダイエットを成功させるには、ダイエットで成功した時の理想の自分を頭の中でイメージしたり、失敗した自分の姿などをイメージして精神を奮い立たせ日々、食欲や誘惑と戦いダイエット行う。しかし、いつしか頭の中の理想イメージの記憶が薄れてしまい食欲や誘惑に負けダイエットを挫折しまうという問題である。
【課題を解決するための手段】
【０００５】  本考案は、上記目的を達成するために、三枚の鏡をそれぞれ、通常の姿を映し出す平面鏡と縦に伸びたような姿に映るように反りつけて、あたかも痩せた状態の姿が映るようにした鏡と、逆に横に伸びたような姿に映るように反りをつけて太った時のような姿を映し出せるようにした鏡を蝶番で固定し三面鏡にして、この鏡を見ることで自分の姿とダイエットで成功した時の姿と挫折し太ってしまった自分の姿の３パターンの姿を見ることができ理想の自分のスタイルのイメージの記憶を薄れないようにすることができ問題を解決している。
【考案の効果】
【０００６】上述のように、ダイエットに成功し痩せた時の自分の姿と挫折し太ってしまった時の自分の姿を鏡に映しだし、イメージを映像化し目で確認することで、食欲や誘惑に負けないように精神に働きかけ、頭の中の理想イメージを薄れさせることなくダイエットを成功へと導く効果をもたらす。
【考案の実施するための最良の形態】
【０００７】本考案は、主にダイエットを成功へと導くために現在の自分の姿と理想に近い痩せた自分の姿と挫折し太ってしまった自分に近い姿に映すために用いられる三面鏡である。
【実施例】
【０００８】考案の実施の形態について図面を参照して、本考案の実施の一例の形態を以下に説明する。【０００９】図１は、本考案のダイエット応援ミラーの一例を示す斜視図である。【００１０】図１に示すように三面鏡の鏡をそれぞれ、平面鏡１と映った姿を細身に見せるために鏡に反りをつけ変形させた細身の姿に見える鏡２と太身に見せるために鏡に反りをつけ変形させた太身に見える鏡３をそれぞれ蝶番４で連結して構成されるダイエット応援ミラーである。【００１１】以下に前記のダイエット応援ミラーの使用方法を図２を参照して説明する。【００１２】まず、平面鏡１と細身の姿に見える鏡２と太身の姿に見える鏡３の３枚の鏡を蝶番で平面鏡１を中心にそれぞれを連結して三面鏡とし、そこに姿を映すと平面鏡１には平常時の姿５と細身の姿に見える鏡２には、平常時の姿に比べ細身に見える姿６と太身の姿に見える鏡３には、太身に見える姿７を映し出す。【００１３】本考案のダイエット応援ミラーを使うことにより、現状の自分の姿とダイエットに成功し痩せた時の自分の姿と挫折し太ってしまった時の自分の姿を鏡に映しだし、イメージを映像化し目で確認することで、食欲や誘惑に負けないように精神に働きかけ、頭の中の理想のイメージを薄れさせることなくダイエットを成功へと導くことができる。
【図面の簡単な説明】
【００１４】
【図１】本考案の形態の一例を示す斜視図である。
【図２】本考案の装着時の一例を説明する説明図である。
【符号の説明】
【００１５】１  平面鏡
２  細身の姿に見える鏡
３  太身の姿に見える鏡
４  蝶番
５  平常時の姿
６  細身に見える姿
７  太身に見える姿
【図１】
0003110357.tif 000003
【図２】
0003110357.tif 000004
(57)【要約】      （修正有）【課題】ズボン下の着用による着ぶくれを嫌う若者にも、ズボン下の着用によって下着の着脱や排尿に不便をきたす中高年層や身体の不自由な人達にも、四季を通して便利に都合よく使える、素肌に直接身につけるズボン下兼用の男性用下穿きロングパンツを提供する。【解決手段】下穿きのパンツすなわち素肌に直接身につけるパンツとズボン下がそれぞれもっている機能を生かしたまま、下穿きのパンツ１とズボン下の下肢を通す部分２を繋ぎ合わせて一体化し、一体化によってズボン下を下穿きのパンツの一部としてパンツに取り込み、形の上でズボン下を無いものとした。それにより下着の枚数が一枚減り、着ぶくれを嫌う若者にも、下着の着脱や排尿に不便をきたす中高年層や身体の不自由な人達にも、便利で都合のよいズボン下兼用の男性用下穿きロングパンツとして提供する。【選択図】図１
0003110354.tif 000002
【実用新案登録請求の範囲】
【請求項１】
下穿きのパンツ（１）すなわち素肌に直接身につけるパンツとズボン下の下肢を通す部分（２）を繋ぎ合わせて、ズボン下と下穿きのパンツを一体化した、ズボン下兼用の男性用下穿きロングパンツ。（３）
【請求項２】
ズボン下と下穿きのパンツを一体化して、ズボン下のもつ機能を下穿きパンツに取り込み、下着からズボン下としての形を取り去ることにより、重ね着による着ぶくれを減らし、下着の着脱を簡便にし、男性の排尿時における局部の出し入れをも楽にできるようにした、請求項１記載のズボン下兼用の男性用下穿きロングパンツ。
【考案の詳細な説明】
【技術分野】
【０００１】  本考案は、下穿きのパンツすなわち素肌に直接身につけるパンツとズボン下の下肢を通す部分を一体化した、男性用のパンツに関するものである。
【背景技術】
【０００２】  男性用下穿きのパンツとズボン下の着用は、最初にまず下穿きのパンツを穿きその上にズボン下を穿くという様にして、一般的には二枚重ねて着用するが、昨今の若年層においては着ぶくれのイメージを嫌ってか、ズボン下を穿いていない者が大半というのが現状である。一方、寒さや暑さに対しての抵抗力の弱い中高年層や身体の不自由な人達のズボン下の着用率はとても高いが、しかし彼等にしてもズボン下の着用については、衣服の着脱や排尿時の局部の出し入れに煩わしさを感じている人が多い。【０００３】  現在、下穿きのパンツやズボン下はそれこそ多種多様のものが出回っており、それらはあらゆる場面を想定のもとに機能や形状や効果をよく考えて製作されている。しかし、前段落で述べた様な理由によってズボン下の着用を嫌ったり、不快感をもっている人達に目を向け、それに応えて製品化されたと思われる効果的な下穿きのパンツやズボン下の類は、今現在までに私が調査した範囲には出てこない。
【考案の開示】
【考案が解決しようとする課題】
【０００４】  多くの若年層に見られる様にただ単に着ぶくれが体裁悪いという理由で、下穿きのパンツ一枚だけで過ごしてズボン下を穿かないと、ズボン下による冬期の防寒や夏期の吸汗の働きや効果が得られないので、風邪に罹かり易くなったり腰痛を起こしたりなど直接病気に結びつくことも多く、健康の上であまりよいとは言えない。また一方、ズボン下の着用率の高い中高年層や体の不自由な人達は、下穿きのパンツとズボン下の二枚重ねの着用は、健康な体を保持していく上で必要と考えて着用してはいるが、実生活の上では重ね着によって衣類の着脱や排尿時の局部の出し入れに不快感を抱いている人も多い。その現実を認識した上で、下穿きパンツとズボン下の関連を解決したい。【０００５】  この問題を解決していくには、ズボン下を不必要としている人達にズボン下を与え、必要としている人達からは取りさる方法はないかという、一考して矛盾しているかと思える難題の解決に向かわなければならなかったが、しかし熟考してみればそこには両者に共通したズボン下というキーワードがあり、そこに着目していけば、ズボン下を穿かなくてもその機能や効果が得られる様なズボン下兼用の下穿きのパンツを、男性の肌着として提供していくことが可能ではないか、と考えてそれを課題とした。
【課題を解決するための手段】
【０００６】  その課題を解決する方法として考えついたのが、下穿きのパンツとズボン下の一体化である。一体化すれば下穿きのパンツがもつ局部の保護や排尿の機能、ズボン下のもつ防寒・吸汗の機能及び効果を１００％生かしたままズボン下をなくすことができ、この課題が解決できると考え、下穿きのパンツ１にズボン下の下肢を通す部分２を繋ぎ合わせて、下穿きのパンツにズボン下を取り込み、ズボン下兼用の下穿きのパンツにして、下着からズボン下としての独立した下着を取り除いた。
【考案の効果】
【０００７】  そこに生まれたのが、ズボン下兼用の男性用の下穿きロングパンツで、下穿きという言葉の示す通り、ブリーフやトランクスに代表されるパンツと同様に直接素肌に身につけて使用するパンツである。このズボン下兼用のパンツの着用によって、ズボン下のもつ機能や効果も十分に得られる様になったので、ズボン下の着用の必要がなくなり、下着の枚数の軽減につながり、衣服の着脱が簡素化され、排尿時の局部の出し入れも楽になり、スリム感も感得できる様になった。その結果、若年層にも中高年層にも体の不自由な人達にも受け入れられ易い、ズボン下兼用の男性用下穿きロングパンツとして男性に提供することができた。なお、この下穿きのパンツすなわち素肌に直接身につけるパンツとズボン下を一体化してズボン下の持つ機能をパンツに取り込み、ズボン下の必要性を無くしてしまった点は他のズボン下や肌着用のパンツとの決定的な違いである。
【考案の実施するための最良の形態】
【０００８】  本考案は従来から有る各種の肌着としてのパンツに、ズボン下の下肢を通す部分を取りつけて、ズボン下兼用のロングパンツにしたものであり、このパンツを穿くときにはズボン下の着用は不要であり、まず素肌に本考案のパンツを穿きその上にズボンを穿くだけでよく、スーツズボンをはじめどんなズボンにもよく適合する。
【実施例】
【０００９】  以下、添付図面に従って一実施例を説明する。１は木綿等適宜素材にて縫製された下穿き用のパンツであり、形はブリーフでもトランクスでもあるいは他の形のものでもよい。２はズボン下の下肢を通す部分の形状と機能を有しているが、木綿等適宜素材にて縫製が可能で、１のパンツと２のズボン下の下肢を通す部分をつなぎ合わせて一体化し、ズボン下兼用の下穿きロングパンツとするが、一体化の過程における縫製上、あるいはデザインの関係で繋ぎ目は有っても無くてもよいし、また、このズボン下兼用のロングパンツ３の色や形や丈の長さやタイツタイプ云々は着用者の好みに応じて適宜に対応させればよい。
【図面の簡単な説明】
【００１０】
【図１】本考案の使用時の見取り図である。
【符号の説明】
【００１１】  １  下穿きパンツ
２  ズボン下の下肢を通す部分
３  ズボン下兼用の男性用下穿きロングパンツ
【図１】
0003110354.tif 000003
(57)【要約】【課題】既存のゴルフクラブシャフトの長さやバランスの性能を変化させる事なく硬さを軟らかく出来る事は、クラブの改善修理の巾を広げる事に役立つ。【解決手段】  シャフトのチップ部に継ぎ手を取り付け接着して、先端部を長くし、その長さによって硬度を落とす事が出来る。【選択図】  図３
0003110358.tif 000002
【実用新案登録請求の範囲】
【請求項１】
ゴルフシャフトのチップ側に継ぎ手を取り付け接着し先端部分を長くしたゴルフシャフト
【考案の詳細な説明】
【考案の詳細な説明】
この考案は、既存のゴルフシャフトの硬度を軟らかくする為の方法に関するものである。
従来、既存のクラブのシャフト硬度を軟らかくする方法は、長さや、ヘッドバランスを変えずに行う方法は無いとされていた。
長くしたり、ヘッドを重くすれば、シャフトのしなりを増加させ軟らかくする事が出来たが、クラブ性能が変化する欠点も生じた。
本考案は、この欠点を、解消する為に成されたもので、同じ長さで、同じヘッドバランスを保ちつつ、シャフトの硬度を軟らかくする方法である。
既存のシャフトのチップ側に、同様の材質で円筒形のパイプを、継ぎ手として取り付け接着し、シャフトの一体化を図る事で、継ぎ手の長さに比例して、長くなる程硬度を落とす事が出来る。又、内径に入る別のパイプを支柱にしたり、接着パイプ付き継ぎ手を利用する事で、後のヘッドとの接着作業時に、空気の抜け道が出来、効果的な接着がスムーズに行える要因となる。
【図面の簡単な説明】
【図１】  本考案の接着用パイプ支柱を使った斜視図である。
【図２】  本考案の接着用パイプ支柱付継ぎ手を使った斜視図である。
【図３】  本考案の接着完成後の斜視図である。
【符号の説明】
１は継ぎ手パイプ本体        ２は接着用パイプ支柱
３はシャフト本体のチップ部    ４は継ぎ目
５はパイプ支柱付継ぎ手パイプ
【図１】
0003110358.tif 000003
【図２】
0003110358.tif 000004
【図３】
0003110358.tif 000005
(57)【要約】      （修正有）【課題】歩行可能な人なら誰でも手軽に簡単に、かつ身体（皮膚）や精神に負担をかけずに足裏の角質を除去する方法を提供する。【解決手段】履物や中敷の、足裏全体に直接触れる部分１の表面材にシルク（絹）サテン２を使用する。素材の性質により無理のない摩擦で足裏の角質が取り除かれる。【選択図】図１
0003110360.tif 000002
【実用新案登録請求の範囲】
【請求項１】
足裏全体に直接触れる部分の表面材にシルク（絹）サテンを使用することを特徴とする履物。
【請求項２】
足裏全体に直接触れる部分の表面材にシルク（絹）サテンを使用することを特徴とする取り外し可能な履物の中敷。
【考案の詳細な説明】
【技術分野】
【０００１】  この考案は、足裏の角質を取り除く道具に関する。
【背景技術】
【０００２】  従来の足裏の角質を取り除く手段としては、薬剤で溶かす、軽石でこする等の方法が一般的である。
【考案の開示】
【考案が解決しようとする課題】
【０００３】  しかしながら、以上の方法によれば、薬剤（木酢液等）が高価であったり、薬剤には臭いがある上に手間がかかり、また軽石でこすると皮膚に負担をかけたりと、これはという方法ではなかった。そこで、この考案は、歩行可能な人なら誰でも手軽に簡単に、かつ身体（皮膚）や精神に負担をかけずに足裏の角質を除去する方法を提供することを課題とする。
【課題を解決するための手段】
【０００４】  以上の課題を解決するために、第一考案は、足裏全体に直接触れる部分にシルク（絹）サテンを使用することを特徴とする履物である。ここでいう履物とは、足袋・靴下・ストッキング・タイツ・スリッパ・サンダル・靴等である。
また、第二考案は、足裏全体に直接触れる部分にシルク（絹）サテンを使用することを特徴とする、取り外し可能な履物の中敷である。ここでいう履物とは、スリッパ・靴・サンダル等である。
【考案の効果】
【０００５】  第一考案、または第二考案によれば、日常生活の中で、シルク（絹）サテンが足裏に直接触れている状態にし、歩行するだけで足裏の角質が取り除かれる。
【考案を実施するための最良の形態】
【０００６】  この考案の一実施形態を、図１に示す。
図１の１は、一例として靴及びスリッパの敷物部分を示しており、図１の２にあたる表面材には、シルク（絹）サテンが使用されている。【０００７】「実施形態の効果」
シルク（絹）サテンには、わずかな皮膚のかさつきにもひっかかり易いという難点がある。そこで実施形態により難点を逆に利用するという実験を試みた結果、使用者に何ら負担をかけずに一週間ほどで足裏の角質を取り除き、きれいにすることが可能であった。【０００８】「他の実施形態」
第二考案は、履物の大きさに合わせて裁断して使用できる形態でも良い。
【図面の簡単な説明】
【０００９】
【図１】この考案の一実施形態を示す平面図である。
【符号の説明】
【００１０】１  足裏にあたる、靴・スリッパの敷物全体
２  表面材にシルク（絹）サテンを使用する部分
【図１】
0003110360.tif 000003
(57)【要約】      （修正有）【課題】雨傘を使用後、傘を整える時、雨水で手が汚れず、衣類や商品を汚すことのない、簡単に整えることが出来る差込式雨水防止器を提供する。【解決手段】輪１に雨傘の先端４を差込み雨傘を廻転させながら、５の方向に移動させ、固定し整える、取除く場合は、雨傘を廻転させながら輪１を、雨傘の先端４の方向に移動させて取除く。【選択図】図３
0003110377.tif 000002
【実用新案登録請求の範囲】
【請求項１】
雨傘を使用後、傘を整え、雨水の散乱を防止しするため輪に袋を接着し、先端に雨水受けを設けた雨傘用器具。
【請求項２】
雨傘の差込口を輪にしたことを特徴とし、雨水防止の袋を、輪に接着した、雨傘用器具。
【考案の詳細な説明】
【技術分野】
【０００１】  本考案は、雨傘に関するものであり、丸い輪に袋を接着し先端に、雨水受けを設け、手を汚さずに整え、雨水の散乱を防止するのである。（背景技術）【０００２】  従来の雨傘には、雨水防止の器具は、存在せず雨傘には、止帯があるのみで、使用後傘を整える時雨水で、手が汚れ、雨水も散乱し、特に乗物の車中や、店内では、人の衣類や、商品を汚すことが多く現在、商店では、使い捨のビニール袋を使用しているが、破損しやすく、使いづらく再利用できない。（考案の開示）（考案が解決しようとする課題）【０００３】  しかし雨傘を使用後、傘を整えるに、老人や、手の不自由な者には、大変な苦労であり、また手も汚れる、特に折たたみ傘は、止帯が外になく整えることが出来ず不便である。（課題を解決するための手段）【０００４】  そこで雨傘を整えるため、（図３参照）輪１、に雨傘の先端４を差込み、雨傘を廻転させながら、５の方向に移動させ、固定し整える、器具を取除く場合は、傘を廻転させながら輪１、を傘の先端４、方向に移動させ、取り除く。（考案の効果）【０００５】  よって、本考案の器具により、雨傘使用後、雨傘を、整える場合、手を雨水で汚すことなく手の不自由な者や、子供でも簡単に整えることが出来る、折たたみ傘も同様である。また、乗物の車中や、店内で、人の衣類や商品を汚すことなく雨水の、散乱を防止出来る。（考案を実施するための最良の形態）【０００６】本考案に係わる、図１に示すように１の輪と２の袋、３雨水受け、の３つの部品により形成されており、１の輪は、２の袋を接着させ、その先端に３の雨水受けを接着設置したものである。素材は、輪と雨水受けは、プラスチック袋はビニール又は防水布。
【図面の簡単な説明】
【０００７】
【図１】本考案の正面図である。
【図２】本考案の平面図である。
【図３】本考案の使用図である。
【符号の説明】
【０００８】１    差込口の輪２    防水用袋３    雨水受４    傘の先端５    傘の上部６    傘の柄
【図１】
0003110377.tif 000003
【図２】
0003110377.tif 000004
【図３】
0003110377.tif 000005
(57)【要約】      （修正有）【課題】股関節回りの筋肉強化運動をする運動具として足の設置位置を変えることなく、交互連続して開脚運動と閉脚運動ができるようにする。【解決手段】円状のゴムチューブ１の中央にゴムボール３を袋２に入れて上下固定することによって、足の設置位置を変えずにゴムチューブとゴムボールの反力を利用して開閉運動を交互連続して股関節回りの筋肉強化運動を行なう。【選択図】図３
0003110373.tif 000002
【実用新案登録請求の範囲】
【請求項１】
円状のゴムチューブ１の中央に、袋２を上下固定取り付けして、袋２の中に球状のゴムボール３を入れた運道具。
【考案の詳細な説明】
【技術分野】
【０００１】本考案は、股関節回りの筋肉強化をするために、円状のゴムチューブの中央に、袋を上下固定取り付けして、袋の中に球状のゴムボールを入れて開脚運動と閉脚運動を交互連続して使用できるようにしたものである。
【背景技術】
【０００２】従来は、足の設置位置を変えずに開脚運動と閉脚運動を交互連続に運動ができるものはなかった。
【考案の開示】
【考案が解決しようとする課題】
【０００３】従来、股関節回りの筋肉強化をする運道具として、開脚運動と閉脚運動を足の設置位置を変えて別々の動作でできる運道具は存在していたが、この種の運道具は足の位置を変えずに交互連続して開閉運動ができない事と軽量化でない問題点を有していた。本考案は、この課題を解消するためになされたものである。
【課題を解決するための手段】
【０００４】円状のゴムチューブ１の中央に球状のゴムボール３を入れる袋２を上下固定し、その袋２の中にゴムボール３を入れる事によって、足の設置位置を変えずにゴムチューブとゴムボールの反力を利用して開閉運動を交互連続してできるようにした。
【考案の効果】
【０００５】開脚運動と閉脚運動を足の設置位置を変えずに交互連続して運動できてしかもコンパクトで軽量で持ち運びができ場所を選ばず運動する事ができる。
以下、本考案の実施の形態について説明する。
（イ）円状のゴムチューブ１の中央に球状のゴムボール３を入れる袋２を上下縫いつけ固定する。その袋２の中にゴムボール３を入れる。
【実施例１】
【０００６】円状のゴムチューブ１の中央に球状のゴムボール３を入れる袋２を上下固定し、その袋２の中にゴムボール３を入れる。ゴムチューブ両端４に両膝を入れ、開脚運動の時は外側に力を入れる事によりゴムチューブの反力で運動ができ、閉脚運動の時は足の設置位置を変えずにそのまま内側に力を入れてゴムボールを圧縮する事により、開閉運動を交互連続してできるようにした。
【図面の簡単な説明】
【０００７】
【図１】  本考案の平面図である。
【図２】  本考案の断面図である。
【図３】  本考案の使用状況を示す斜視図である。
【符号の説明】
【０００８】  １ゴムチューブ
２袋
３ゴムボール
４ゴムチューブ両端
【図１】
0003110373.tif 000003
【図２】
0003110373.tif 000004
【図３】
0003110373.tif 000005
(57)【要約】【課題】  本考案はハンガーを物干し用として使用したときに風に飛ばされ地面に落下すことを防止する。【解決手段】  本考案はハンガーのフック部分の両端を長くして、ストッパーの役割をする絞り込みを施し前方後円形のフックとすることにより風に飛ばされにくいハンガーとして役立つ。【選択図】  図２
0003110378.tif 000002
【実用新案登録請求の範囲】
【請求項１】
金属類のスチール製ハンガー、合成樹脂類のプラスチック製ハンガーのフック部分の両端を長くし、絞り込みを取り入れ前方後円形のフックにしたところを特徴とする風に飛ばされにくい物干し用ハンガー。
【考案の詳細な説明】
【技術分野】
【０００１】  本考案は物干し用ハンガーに関するものである。
【背景技術】
【０００２】  強い風により、物干し竿に吊したハンガーが落下していることがよくあり、ときには洗濯のやり直しをしていた。
【考案の開示】
【考案が解決しようとする課題】
【０００３】  ハンガーは物干し用として一般に使用されているものであるが、フック部分が短くストッパーの役割をはたす部分がないので風にあおられると物干し竿から簡単に外れ地面に落下していることをよく見かける。落下を防ぐにはフック部分の改善を図ることにより前述の欠点を解決しようとするものである。
【課題を解決するための手段】
【０００４】  本考案は、ハンガーが風に飛ばされにくくするためにハンガーのフック部分の両端を長くして、ストッパーの役割をする絞り込みを施し前方後円形のフックとした。ことにより、風によるハンガーの前後、左右、回転運動の揺れに耐えられるように改善して問題点を解決している。
フック部分の両端を長くし、前方後円形のフックにするために、ハンガーの肩掛けの左右の交差点から先端までの長さを従来のハンガーのフック全体の長さの１．２倍から１．５倍長くした。
フック部分の長さは短いと効果が低くなり、長いと効果は高まるが、ハンガー全体の形に違和感を生じるので、フック部分の全体の長さを全体の調和と機能性を十分に考慮して１．２倍から１．５倍とした。
【考案の効果】
【０００５】  本考案のハンガーはフック部分の絞り込みの幅を物干し竿の直径に合わせて使用することにより前後、左右、回転運動のうち、特に回転運動に画期的な効果を発揮する。
物干し竿に吊るす際は、物干し竿が吊るしてある支点から、又は物干し竿を支えている支柱の支点から風向きを考えて風下からハンガーを吊るす。このような吊るし方を実施すことにより、ハンガーのフックの両端が物干し竿の支点箇所に引っ掛かり、他の干し物に相乗効果を発揮して全体のハンガーの落下を防ぐことができる。又フック部分のみ改善を図ったために、物干し竿に吊るしたり取り外すしたりすることが簡単にできるという利点を備えている。
【図面の簡単な説明】
【０００６】
【図１】従来のハンガーのフック部分
【図２】本考案のハンガーのフック部分
【符号の説明】
【０００７】  １  従来のハンガーのフック部分の両端の一部分
２  従来のハンガーのフック部分の両端の一部分
３  本考案のハンガーのフック部分の両端の一部分
４  本考案のハンガーのフック部分の両端の一部分
５  本考案のハンガーのフック部分の絞り込みの部分
【図１】
0003110378.tif 000003
【図２】
0003110378.tif 000004
(57)【要約】【課題】灯油ホームタンクの燃料計は、積雪時、ホームタンク上部の雪を除去する際に燃料計自身に接触し、ひび・割れ等の破損が生じ、燃料計の故障、水分のタンク内混入による暖房器具への影響が問題となっていた。【解決手段】複数本の突起２と底部張り出し部４に取り付けた磁石５を設けたコップ状の燃料計保護カバー１を燃料計６に被せホームタンク本体８と一体化させ取り付ける。【選択図】図２
0003110376.tif 000002
【実用新案登録請求の範囲】
【請求項１】
コップ状の本体を有する形態の内部上方に突起２、本体底部に磁石５を設けたことを特徴し、灯油用ホームタンク燃料計６の保護を目的とした燃料計保護カバー１。
【考案の詳細な説明】
【技術分野】
【０００１】  この考案は、灯油用ホームタンクの燃料計を保護するカバーの機能・形状に関するものである。
【背景技術】
【０００２】  灯油ホームタンク上部の燃料計は、周辺部ともに覆いがなく、とりわけ燃料計を含む上部全体が冬期において積雪により埋もれる状態にあり、従来には燃料計を保護するカバーはなかった。
【考案の開示】
【考案が解決しようとする課題】
【０００３】  燃料計を含むホームタンク上部に積もった雪をスコップ等で除去する際に燃料計自身に接触し、ひび・割れ等の破損の問題が多く見受けられていた。それにより、破損による燃料計の故障、また水分がタンク内部に混入し、暖房器具への影響が問題となっていた。  そこで、本考案はこれらの欠点を取り除くため燃料計の保護を課題とするものである。
【課題を解決するための手段】
【０００４】  以上の課題を解決するために、ホームタンク燃料計６のサイズを上回る径・高さを持ったコップ状の燃料計保護カバー１を、側面に設けられた開口部３を燃料計ビス７に合わせる方向に燃料計６に被せ、カバー１内部上方に燃料計６の外形よりやや大きく配置した複数本の突起２を燃料計６にはめ、底部張り出し部４に取り付けられた磁石５をホームタンク本体８と密着させ取り付ける。
【考案の効果】
【０００５】  保護カバーを設けることにより、積雪除去作業の際の燃料計本体の破損の防止、破損による燃料計の故障及びタンク内への水分混入を防ぐことが可能である。
【考案を実施するための最良の形態】    この考案の一実施形態を、以下に示す。【０００６】図１は、本考案の外観斜視図である。
燃料計保護カバー１はコップ状の形状で透明性ある樹脂製であり、このカバー１内部上面には、突起２、側面に開口部３、複数の底部張り出し部４に取り付けられた磁石５が一体的に設けられている。【０００７】図２は、本考案である燃料計保護カバー１を開口部３と燃料計ビス７の方向に合わせる状態で燃料計６に被せる要領を示した図である【０００８】図３は、本考案である燃料計保護カバー１の燃料計６への設置状態を示す図であり、複数本の突起２が燃料計６と接し、底部張り出し部４に取り付けられた磁石５がホームタンク本体８の上部と密着し、装着されてい状態を示す図である。【０００９】「実施形態の効果」
複数本の突起２と複数の底部張り出し部４に取り付けた磁石５を設けたコップ状の燃料計保護カバー１を燃料計６に被せホームタンク本体８と一体化させ取り付けることにより、燃料計６は外力から保護され、かつ開口部３より外気がカバー１内部に混入することで透明性の樹脂製保護カバー１内のくもり防止となるとともに燃料計６ゲージを目視でき、突起２と磁石５の効果でホームタンク本体８からはずれにくい効果をもたらす。
【図面の簡単な説明】
【００１０】
【図１】この考案の一実施形態を示す外観斜視図である。
【図２】本考案をホームタンク燃料計に設置する要領図である。
【図３】本考案をホームタンク燃料計に設置状態を示す斜視図である。
【図４】本考案をホームタンク燃料計に設置状態を示す断面図である。
【図５】本考案の平面図である。
【図６】一般的なホームタンクを示す図である。
【符号の説明】
【００１１】    １  燃料計保護カバー
２  突起
３  開口部
４  底部張り出し部
５  磁石
６  ホームタンク燃料計
７  燃料計ビス
８  ホームタンク本体
【図１】
0003110376.tif 000003
【図２】
0003110376.tif 000004
【図３】
0003110376.tif 000005
【図４】
0003110376.tif 000006
【図５】
0003110376.tif 000007
【図６】
0003110376.tif 000008
(57)【要約】【目的】冬季夜間、寝具内に睡眠中、電気毛布を使用しても、故障の多い暖房を使用せずに、特に肩部付近が寒くならないようにする。【構成】肩付近を包み入れる筒状部２の先端の取付部５を、枕１の前部上下面左右寄りに取付け繋ぐ。又は枕１の下面に敷いて、枕の下面に取付固定した一枚の大きな布（６）に切断線，折返し線を設けて、筒状部２，前身ごろ３、後身ごろ４を成型する。【選択図】図１
0003110380.tif 000002
【実用新案登録請求の範囲】
【請求項１】
肩から上腕付近までの周囲の筒状部（２）の内側先端の取付部（５）を、枕（１）の前部寄りの上下面に連結する寝具。
【請求項２】
枕（１）の下面前部に取付け敷く一枚布（６）の切断線（９，１０，２３，２４）と折り返し線（１３，１８，２５）により、筒状部（２），前身ごろ（３），後身ごろ（４）を成型する寝具。
【請求項３】
筒状部（２）とその取付部（５）を、夫々ゴム引き布製とした請求項１記載の寝具。
【考案の詳細な説明】
【産業上の利用分野】
【０００１】寝具，枕
【背景技術】
【０００２】冬季、寝具に睡眠中、特に肩付近にしみこむ寒気を防ぐために従来、考えられたかい巻きでは下半身の上に大きな掛けふとん，毛布等を必要とし，掛けふとん，毛布からの襟掛け（タオル等）では横向きになるとそれが広く大きな厚手の物でも、襟掛けが寝具と共に位置がずれて背中が寒くなる等の不便な点があった。
【考案が解決しようとする課題】
【０００３】かい巻き，寝巻き等を用いずに，肩，首，背中，胸付近の防寒方法は無いか？
【０００４】肩を包む筒状部２と、首から胸，背中を蔽う前身ごろ３，後身ごろ４とそれらの補強部分とを同一の布等で作る方法は無いか？
【課題を解決するための手段】
【０００５】０００３の肩部の保温には、肩から腕上部までを包む筒状部２，２（左と右）夫々の上面，下面の内側布部の取付部５，５を枕１又は枕カバー１の前部の上面，下面夫々の外端近くに設け、枕カバー１にはホック釦等で掛け外し、枕１には掛け止めホック，縫いつけ等で取付ける。（図１）
【０００６】０００３の背中，胸付近には、後身ごろ４，前身ごろ３を筒状部２の後面，前面下部に夫々取付ける。（図１）
【０００７】０００３の首から肩付近前面には、掛布とん，毛布等からの襟掛の大きな広い物（図面省略）を用いる。
【０００８】０００４には、枕１のカバーの下面前部に取付け（ホック，縫付け等）た一枚の大きな布６（一枚布）の中央付近の左右７，７の部を、筒状部２の後面になる部とし、その上の左右８，８の部を切断線９，９，１０，１０で切り離して、筒状部２の前面となるように折返し線１３，１３により、７，７の部の上へ丸め折り返して筒状部２，２を成型し、左右の８，８の間の１６と左右の７，７の間の１７とは後身ごろ４の中央部となる部で、枕１の下面前部の折返し線１８で、１６の部を１７の下面へ折返し重ね、１６に続く２１の部は後見ごろ４となり、左右７，７の部の下方の左右の２２，２２の部は夫々左右の前身ごろ（３，３）となり、切断線２３，２４，２４の間の三角部は切落す。左右の２２，２２の内側の折返し線２５，２５により夫々の外側へ折返された部は左右の前襟２６，２７となる部である（図２）
【０００９】図２で、左右の７，７，８，８の部の左右の１９，１９，２０，２０の部は、折返し線２１，２１，２２，２２で筒状部２となるべき左右７，７８，８の部へ折返してから筒状部２を成型する補強部分とする。
【作用】
【００１０】夜間、トイレに行く時、かい巻き、寝まき等を着て行くと、戻ってから寝具の中へ、それを入れ直して、ふとん，毛布等を掛け直すのが煩わしいが、図１に示す筒状部２のある夜着ならそれを着たまま用をすましても、布とん、毛布等へ入りこむのも簡単であり、又他の肩掛け着へ着替えるのも簡易である。前身ごろ３，後身ごろ４は寝具を出た時保温の働きがある。取付部５により筒状部２の横ずれを防ぐので掛布とん，毛布，襟かけ等の横ずれも防ぎ易い。
【００１１】筒状部２の中へ肩を入れて睡眠すると肩付近を保温し易く、横向きになっても後身ごろ４が背中を蔽うので寒さを防ぎ易い。
【００１２】０００８で、大きな１枚布６の中央付近を枕１のカバーの下面前部の取付けておくと、作られた筒状部２の位置が左右前後に移動し難いので、その上に用いる掛布とん，毛布，襟掛け等の横ずれも少く、ベットの上から落ちる事なく使用し易い。
【００１３】０００８で、後見ごろ４となるべき１６と１７を折重ねるとその厚さと重さを増して防寒効果を補強し得る。
【００１４】０００９で、左右の１９，２０の部を中央の７，８の部へ折重ねて筒状部２とすると、その厚さと重さにより防寒効果を補強し得る。
【実施例】
【００１５】図１は筒状部２と前身ごろ３，後身ごろ４を有し、０００５と０００６に示す実施例である。【００１６】図２は、図１の考案を大きな一枚布６で作り、尚補強部分を設ける場合の展開図で、００１８に示す切断線，折返し線の各部の展開方法と、００１２，００１３，００１４に示す各部の作用を示す実施例である。【００１７】図１で、左右の前襟２６，２７は、左右からの掛け止め紐輪２８，２９で掛け止める。【００１８】図１で、筒状部２の取付部５には左右方向に伸縮し易いゴム引き布を用い、筒状部２には円周の周囲の太さを伸縮し易いゴム引き布を用いて、夫々上腕と肩部を出入し易くし、且筒状部２と掛布とん，毛布等の横ずれを防ぐ。
【考案の効果】
【００１９】冬季睡眠中、寝具の内面には電気毛布等を使用し得るが、特に広い室内で暖房はその点滅、調節等が煩わしいので、この考案はそれに代用し得る。（図１，２）
【００２０】図２で、枕１の下に敷く大きな一枚布６は左右上下にずれ動きが少ないので、掛け布とん，毛布，襟掛け等の横ずれも少くし、ベットの上にも使用し易い。
【図面の簡単な説明】
【図１】斜視図、背面の後身ごろ４を点線で示す。
【図２】大きな一枚布６の展開図。（切断線を一点銷線，折返し線を短縦線）
【符号の説明】
１−−−−枕
２，２−−−筒状部（左，右）
３，４−−−−前身ごろ，後身ごろ
５−−−−（２から１への）取付部
６−−−−（図２の展開図となる）大きな一枚布
９，１０，２３，２４−−−−−切断線（一点鎖線）
１３，１８，２５−−−−−折返し線（短縦線）
２６，２７−−−−−左前襟，右前襟
２８，２９−−−−−掛け止め紐輪
【図１】
0003110380.tif 000003
【図２】
0003110380.tif 000004